(57)【要約】【課題】待機状態において被制御機器の動作状態を表示するか否かを使用者が設定可能なスイッチ装置を提供する。【解決手段】第１制御部１０１は、操作釦１１１〜１１４が所定時間以上操作されない待機状態では、全ての発光ダイオード１２１〜１２８を消灯させる。第１制御部１０１は、何れかの操作釦１１１〜１１４が操作されると操作時点での被制御機器の動作状態に応じて対応する発光ダイオード１２１〜１２８を点灯又は消灯させる。演算処理部１０は、例えば操作釦１１１の長押し操作に応じて、待機状態における発光ダイオード１２１〜１２８の表示を有効にするか無効にするかを設定する。演算処理部１０によって待機状態における発光ダイオード１２１〜１２８の表示を有効にすると設定された場合、第１制御部１０１は、待機状態においても被制御機器の動作状態に応じて対応する発光ダイオード１２１〜１２８を点灯又は消灯させる。【選択図】図１
2015162736.tif 000002
【特許請求の範囲】
【請求項１】
所定の操作を行うための操作部と、
被制御機器の動作状態を表示する発光表示部と、
前記操作部が所定時間以上操作されない待機状態では前記発光表示部の表示を停止させ、前記操作部が操作されると操作時点での前記被制御機器の動作状態に応じて前記発光表示部の表示を制御する第１制御部と、
前記操作部による前記被制御機器の操作内容に応じて前記被制御機器の動作状態を変化させる制御を行う第２制御部と、
前記操作部による設定操作に応じて、前記待機状態における前記発光表示部の表示を有効にするか無効にするかを設定する設定部とを備え、
前記第１制御部は、前記設定部によって前記待機状態における前記発光表示部の表示を有効にすると設定されると、前記待機状態においても前記被制御機器の動作状態に応じた表示を前記発光表示部に行わせるように構成されたことを特徴とするスイッチ装置。
【請求項２】
前記第１制御部が、前記待機状態において前記発光表示部を点滅させるように構成されたことを特徴とする請求項１記載のスイッチ装置。
【請求項３】
前記操作部は、前記被制御機器の動作状態を変化させるために操作される第１操作部と、前記発光表示部に前記被制御機器の動作状態を表示させるために操作される第２操作部とを備え、
前記第１制御部は、前記待機状態で前記第２操作部が操作されると、前記第２操作部の操作時点での前記被制御機器の動作状態に応じて前記発光表示部の表示を制御するように構成されたことを特徴とする請求項１又は２の何れかに記載のスイッチ装置。
【請求項４】
外部からの制御信号を受信する受信部を備え、
前記設定部は、前記待機状態における前記発光表示部の表示を有効にする制御信号を前記受信部が受信すると、前記待機状態における前記発光表示部の表示を有効に設定するように構成されたことを特徴とする請求項１乃至３の何れか１項に記載のスイッチ装置。
【発明の詳細な説明】
【技術分野】
【０００１】
本発明は、スイッチ装置に関し、より詳細には、被制御機器の動作状態を表示する表示機能を備えたスイッチ装置に関する。
【背景技術】
【０００２】
従来、制御装置と、液晶操作表示スイッチ端末器と、制御用端末器とが多重伝送線を介して接続された制御システムがあった（例えば特許文献１参照）。
【０００３】
液晶操作表示スイッチ端末器は、液晶画面と、液晶画面の表面に設けられたタッチスイッチパネルを備える。液晶画面には、被制御機器である照明器具の配置地図とともに、照明器具の操作スイッチシンボルがレイアウト表示されている。また、液晶画面には、被制御機器の動作状態（被制御機器のオン、オフ）を表示するシンボルが、各被制御機器の操作スイッチシンボルに付加されている。
【０００４】
液晶画面に表示された操作スイッチシンボルが操作されると、液晶操作表示スイッチ端末器は、操作された操作スイッチシンボルに対応する照明器具を制御するための多重伝送信号を制御装置に送信する。制御装置は、液晶操作表示スイッチ端末器から送信された多重伝送信号を受信すると、制御対象の照明器具を制御する制御用端末器へ、操作に応じた多重伝送信号を送信する。制御用端末器は、制御装置から送信された多重伝送信号を受信すると、この多重伝送信号に応じて照明器具の制御（点灯、消灯など）を行う。
【先行技術文献】
【特許文献】
【０００５】
【特許文献１】特開平６−２２２８８１号公報
【発明の概要】
【発明が解決しようとする課題】
【０００６】
特許文献１に記載された液晶操作表示スイッチ端末器は、一定時間操作されないか、液晶画面に表示された終了スイッチシンボルが操作されると、液晶画面の表示を消して、消費電力の低減を図っている。液晶操作表示スイッチ端末器が一定時間操作されない場合、液晶画面の表示が消えた状態となるため、使用者は被制御機器の動作状態を液晶画面で確認することができなかった。そのため、使用者が被制御機器の動作状態を液晶画面で確認したい場合、液晶操作表示スイッチ端末器で何らかの操作を行って、液晶画面に被制御機器の動作状態を表示させる必要があり、使い勝手が悪かった。
【０００７】
本発明は上記課題に鑑みて為され、待機状態において被制御機器の動作状態を表示するか否かを使用者が設定可能なスイッチ装置を提供することを目的とする。
【課題を解決するための手段】
【０００８】
本発明のスイッチ装置は、操作部と、発光表示部と、第１制御部と、第２制御部と、設定部とを備える。前記操作部は所定の操作を行うために設けられる。前記発光表示部は被制御機器の動作状態を表示する。前記第１制御部は、前記操作部が所定時間以上操作されない待機状態では前記発光表示部の表示を停止させ、前記操作部が操作されると操作時点での前記被制御機器の動作状態に応じて前記発光表示部の表示を制御する。前記第２制御部は、前記操作部による前記被制御機器の操作内容に応じて前記被制御機器の動作状態を変化させる制御を行う。前記設定部は、前記操作部による設定操作に応じて、前記待機状態における前記発光表示部の表示を有効にするか無効にするかを設定する。前記第１制御部は、前記設定部によって前記待機状態における前記発光表示部の表示を有効にすると設定されると、前記待機状態においても前記被制御機器の動作状態に応じた表示を前記発光表示部に行わせるように構成される。
【０００９】
このスイッチ装置において、前記第１制御部が、前記待機状態において前記発光表示部を点滅させるように構成されることも好ましい。
【００１０】
このスイッチ装置において、以下の構成をさらに備えることも好ましい。前記操作部は、前記被制御機器の動作状態を変化させるために操作される第１操作部と、前記発光表示部に前記被制御機器の動作状態を表示させるために操作される第２操作部とを備える。そして、前記第１制御部は、前記待機状態で前記第２操作部が操作されると、前記第２操作部の操作時点での前記被制御機器の動作状態に応じて前記発光表示部の表示を制御するように構成される。
【００１１】
このスイッチ装置において、以下の構成をさらに備えることも好ましい。スイッチ装置は、外部からの制御信号を受信する受信部を備える。前記設定部は、前記待機状態における前記発光表示部の表示を有効にする制御信号を前記受信部が受信すると、前記待機状態における前記発光表示部の表示を有効に設定するように構成される。
【発明の効果】
【００１２】
本発明によれば、操作部を操作することによって、待機状態において被制御機器の動作状態を表示するか否かが設定できるので、待機状態において被制御機器の動作状態を表示するか否かを選択できるから、使い勝手が向上する。
【図面の簡単な説明】
【００１３】
【図１】本実施形態の操作用端末器のブロック図である。
【図２】本実施形態の操作用端末器を用いる遠隔監視制御システムのシステム構成図である。
【図３】（ａ）〜（ｃ）は本実施形態の操作用端末器の動作を説明する説明図である。
【図４】（ａ）（ｂ）は本実施形態の操作用端末器の動作を説明する説明図である。
【図５】本実施形態の操作用端末器の動作を説明するフロー図である。
【発明を実施するための形態】
【００１４】
本発明の技術思想を、遠隔監視制御システムの操作用端末器に適用した実施形態について、図面を参照して説明する。
【００１５】
図２は、遠隔監視制御システムの概略的なシステム構成図である。この遠隔監視制御システムは、操作用端末器１（スイッチ装置）と、制御用端末器２と、センサ端末器３と、伝送ユニット４とを備える。伝送ユニット４には、２線式の信号線５を介して、操作用端末器１と、制御用端末器２と、センサ端末器３とがそれぞれ接続されている。操作用端末器１と制御用端末器２とセンサ端末器３にはそれぞれ個別のアドレスが設定されており、このアドレスを用いて伝送ユニット４は操作用端末器１と制御用端末器２とセンサ端末器３を個別に認識する。
【００１６】
この遠隔監視制御システムは、照明器具のような被制御機器（図２の例では照明器具６１〜６４）の動作状態を遠隔から監視、制御するためのシステムである。なお、被制御機器は照明器具に限定されず空調機器でもよい。また、図２の例では操作用端末器１と制御用端末器２とセンサ端末器３の台数がそれぞれ１台であるが、各端末器の台数は被制御機器の台数や種類に応じて適宜変更が可能である。
【００１７】
制御用端末器２には、ラッチングタイプの４台のリモコンリレー７１〜７４が接続されている。リモコンリレー７１〜７４は、それぞれ、対応する照明器具６１〜６４と電源との間に接続されている。制御用端末器２は、伝送ユニット４から送信された制御信号に基づいて、リモコンリレー７１〜７４のうち制御対象の照明器具に接続されたリモコンリレーのオン／オフを切り替える。制御用端末器２が、伝送ユニット４から送信された制御信号に基づいて、例えばリモコンリレー７１をオンにすると、リモコンリレー７１を介して対応する照明器具６１に電力が供給され、照明器具６１が点灯する。また、制御用端末器２が、伝送ユニット４から送信された制御信号に基づいて、例えばリモコンリレー７１をオフにすると、照明器具６１への電力供給が遮断され、照明器具６１が消灯する。このように、制御用端末器２が、伝送ユニット４から送信された制御信号に基づいて、リモコンリレー７１〜７４をオン又はオフにすると、対応する照明器具６１〜６４が点灯又は消灯する。ここで、制御用端末器２には、制御対象のリモコンリレー７１〜７４のそれぞれに対応付けて別個のアドレスが設定されている。
【００１８】
操作用端末器１は、図１及び図２に示すように、演算処理部１０と、操作釦１１１〜１１４（操作部）と、発光ダイオード１２１〜１２８（発光表示部）と、アドレス設定部１３と、記憶部１４と、信号受信部１５１と、信号送信部１５２とを備える。また本実施形態の操作用端末器１はリセット回路１６とクロック回路１７をさらに備えている。操作用端末器１は、制御対象の照明器具６１〜６４が設置された照明空間の壁（図示せず）に取り付けられている。ここで、操作用端末器１では操作釦１１１〜１１４のそれぞれに別個のアドレスが割り当てられている。なお、操作釦の数は４個に限定されず、１個、２個、３個、８個など適宜変更が可能である。
【００１９】
操作釦１１１〜１１４は操作用端末器１の前面に上下に並べて設けられている。操作釦１１１〜１１４は、それぞれ対応する照明器具の動作状態（例えば点灯又は消灯）を変化させるために操作される。ここにおいて、操作釦１１１は照明器具６１に対応し、操作釦１１２は照明器具６２に対応し、操作釦１１３は照明器具６３に対応し、操作釦１１４は照明器具６４に対応する。
【００２０】
発光ダイオード１２１〜１２８は操作用端末器１の前面に配置され、それぞれ対応する被制御機器（照明器具６１〜６４の何れか）の動作状態を表示するために使用される。８個ある発光ダイオード１２１〜１２８のうち、４個の発光ダイオード１２１，１２３，１２５，１２７は発光色が緑色の発光ダイオードからなり、残りの４個の発光ダイオード１２２，１２４，１２６，１２８は発光色が赤色の発光ダイオードからなる。緑色発光の発光ダイオード１２１，１２３，１２５，１２７は、対応する照明器具（照明器具６１〜６４の何れか）を操作するための操作釦（操作釦１１１〜１１４の何れか）の左側に配置され、照明器具の消灯時に点灯して、消灯中であることを表示する。赤色発光の発光ダイオード１２２，１２４，１２６，１２８は、対応する照明器具（照明器具６１〜６４の何れか）を操作するための操作釦（操作釦１１１〜１１４の何れか）の右側に配置され、照明器具の点灯時に点灯して、点灯中であることを表示する。
【００２１】
なお本実施形態では、操作釦１１１の左側には緑色発光の発光ダイオード１２１が配置され、操作釦１１１の右側には赤色発光の発光ダイオード１２２が配置されており、発光ダイオード１２１，１２２は照明器具６１の動作状態に応じて点灯又は消灯する。操作釦１１２の左側には緑色発光の発光ダイオード１２３が配置され、操作釦１１２の右側には赤色発光の発光ダイオード１２４が配置されており、発光ダイオード１２３，１２４は照明器具６２の動作状態に応じて点灯又は消灯する。操作釦１１３の左側には緑色発光の発光ダイオード１２５が配置され、操作釦１１３の右側には赤色発光の発光ダイオード１２６が配置されており、発光ダイオード１２５，１２６は照明器具６３の動作状態に応じて点灯又は消灯する。操作釦１１４の左側には緑色発光の発光ダイオード１２７が配置され、操作釦１１４の右側には赤色発光の発光ダイオード１２８が配置されており、発光ダイオード１２７，１２８は照明器具６３の動作状態に応じて点灯又は消灯する。
【００２２】
アドレス設定部１３は、操作釦１１１〜１１４のそれぞれにアドレスを設定する。操作用端末器１の前面には、ワイヤレス設定器（図示せず）から送信される赤外線信号を受信する受信部１３１が設けられている。ワイヤレス設定器からアドレスの設定情報が赤外線信号で送信され、この設定情報が受信部１３１で受信されると、アドレス設定部１３は受信部１３１が受信したアドレスの設定情報を演算処理部１０に出力する。演算処理部１０は、アドレス設定部１３からアドレスの設定情報が入力されると、この設定情報をもとに操作釦１１１〜１１４のそれぞれにアドレスを設定し、記憶部１４に記憶させる。
【００２３】
記憶部１４は、例えばフラッシュメモリやＥＥＰＲＯＭ（Electrically Erasable and Programmable Read Only Memory）からなり、各種の設定内容を記憶する。また、記憶部１４には、対応する照明器具６１〜６４の動作状態が記憶されている。
【００２４】
信号受信部１５１は、伝送ユニット４から信号線５を介して送信された伝送信号（多重伝送信号）を受信する。
【００２５】
信号送信部１５２は、信号線５を介して伝送ユニット４へ伝送信号を送信する。
【００２６】
リセット回路１６は、例えば電源投入時に演算処理部１０のリセット動作（いわゆるパワー・オン・リセット）を行う。
【００２７】
クロック回路１７は、所定周波数のクロック信号を発振する発振回路（図示せず）を備え、このクロック信号を演算処理部１０に供給する。
【００２８】
演算処理部１０は例えばマイクロコンピュータからなり、操作用端末器１の全般的な制御を行う。演算処理部１０が記憶部１４に記憶されたプログラムを実行することにより、演算処理部１０の演算機能によって第１制御部１０１と第２制御部１０２とが実現される。
【００２９】
第１制御部１０１は、操作釦１１１〜１１４が所定時間以上操作されない待機状態では発光ダイオード１２１〜１２８の表示を停止させる。第１制御部１０１は、操作釦１１１〜１１４の何れか（例えば図２において一番上にある操作釦１１１）が操作されると操作時点での照明器具６１〜６４の動作状態に応じて、発光ダイオード１２１〜１２８による表示を制御する。
【００３０】
第２制御部１０２は、発光ダイオード１２１〜１２８が対応する照明器具６１〜６４の動作状態を制御している状態で、操作釦１１１〜１１４の操作に応じて、対応する照明器具６１〜６４の動作状態を変化させる制御を行う。
【００３１】
ここで、遠隔監視制御システムの動作について図３を参照しながら説明する。尚、図３に示す操作用端末器１は３個の操作釦１１１〜１１３を備えた端末器の例である。この操作用端末器１では、操作釦１１１の左上に緑色発光の発光ダイオード１２１が配置され、操作釦１１１の右上に赤色発光の発光ダイオード１２２が配置されている。また、操作釦１１２の左上に緑色発光の発光ダイオード１２３が配置され、操作釦１１２の右上に赤色発光の発光ダイオード１２４が配置されている。また、操作釦１１３の左上に緑色発光の発光ダイオード１２５が配置され、操作釦１１２の右上に赤色発光の発光ダイオード１２６が配置されている。
【００３２】
操作用端末器１の演算処理部１０は、３個ある操作釦１１１〜１１３が操作されない状態が所定時間以上継続すると待機状態に切り替わる。
【００３３】
操作用端末器１の使用者は、待機状態において、発光ダイオード１２１〜１２６による動作状態の表示を有効にするか否かを設定することができる。例えば、３個ある操作釦１１１〜１１３のうちの何れか（例えば一番上の操作釦１１１）を使用者が所定の操作時間（例えば数秒間）以上長押しすると、演算処理部１０は、この長押し操作を受けて、動作状態の表示を有効にするか無効にするかを切り替える。そして、演算処理部１０は、待機状態において動作状態の表示を有効にするか無効にするかの設定が変更されると、その設定内容を記憶部１４に記憶させる。
【００３４】
待機状態における動作状態の表示を無効にするように記憶部１４に記憶されている場合、演算処理部１０の第１制御部１０１は、待機状態において、発光ダイオード１２１〜１２６による動作状態の表示を停止させる。すなわち、演算処理部１０の第１制御部１０１は全ての発光ダイオード１２１〜１２６を消灯させており、発光ダイオード１２１〜１２６による消費電力が低減される。ここで、４個の操作釦１１１〜１１４を備えた操作用端末器１の場合、全体の消費電流は約１２ｍＡ、発光ダイオード１２１〜１２８による消費電流は約８ｍＡであり、発光ダイオード１２１〜１２８の消費電流は全体の約６〜７割を占めている。したがって、待機状態において演算処理部１０の第１制御部１０１が発光ダイオード１２１〜１２８を全て消灯させれば、操作用端末器１の消費電流を６〜７割程度削減でき、消費電力を低減できる。
【００３５】
ここで、待機状態において動作状態の表示を無効にするように記憶部１４に記憶されている場合に、演算処理部１０の第１制御部１０１が、例えば１個の発光ダイオード１２１を点滅させてもよい。図３（ａ）は待機状態において発光ダイオード１２１を点滅させた状態を示している。この場合、発光ダイオード１２１〜１２６による照明器具６１〜６３の動作状態の表示は行われず、１個の発光ダイオード１２１の点滅によって、操作用端末器１の位置表示のみが行われる。したがって、発光ダイオード１２１〜１２６によって照明器具６１〜６３の動作状態を表示する場合に比べて、発光ダイオード１２１〜１２６による消費電流が抑制される。また、１個の発光ダイオード１２１が点滅しているから、暗所においても操作用端末器１の設置場所が判りやすいという利点がある。
【００３６】
待機状態において使用者が何れかの操作釦（例えば１番上の操作釦１１１）を操作すると、演算処理部１０の第１制御部１０１は、操作釦１１１の操作に応じて、操作時点における照明器具６１〜６３の動作状態を記憶部１４から読み込む。そして、演算処理部１０の第１制御部１０１は、照明器具６１〜６３の動作状態を表示するために、対応する発光ダイオード１２１〜１２６を点灯又は消灯させる。例えば図３（ｂ）の例では赤色発光の発光ダイオード１２２，１２４と緑色発光の発光ダイオード１２５が点灯し、他の発光ダイオードで１２１，１２３，１２６は消灯している。これにより、照明器具６１，６２が点灯中で、照明器具６３が消灯中であることが表示される。
【００３７】
そして、発光ダイオード１２１〜１２６による動作状態の表示が行われている状態で、使用者が照明器具６１を消灯させるために操作釦１１１を操作すると、演算処理部１０の第２制御部１０２は、対応する照明器具６１の動作状態を変化させる制御を行う。すなわち、演算処理部１０の第２制御部１０２は、信号送信部１５２から信号線５を介して伝送ユニット４に、操作釦１１１に割り当てられたアドレスを含む伝送信号を送信する。
【００３８】
伝送ユニット４の記憶部には、操作用端末器１が備える操作釦１１１〜１１４にそれぞれ割り当てられたアドレスと、制御対象の制御用端末器２のアドレス（すなわちリモコンリレー７１〜７４にそれぞれ対応付けて設定されたアドレス）とが、対応付けて記憶されている。
【００３９】
伝送ユニット４は、操作用端末器１から信号線５を介して送信された伝送信号を受信すると、この伝送信号に含まれる操作釦１１１のアドレスをもとに記憶部を参照し、制御対象のリモコンリレー７１に対応付けて設定されたアドレスを取得する。そして、伝送ユニット４は、制御対象のリモコンリレー７１に対応付けて設定されたアドレスを含めた伝送信号を信号線５に送信する。
【００４０】
各端末器は、信号線５に送信される伝送信号を常時監視しており、自己のアドレスと一致する伝送信号を受信すると、受信した伝送信号に応じた動作を行う。
【００４１】
伝送ユニット４からリモコンリレー７１に対応付けられたアドレスを含む伝送信号が送信されると、対応する制御用端末器２がこの伝送信号を受信し、伝送信号に含まれるアドレスに基づいて、対応するリモコンリレー７１のオン／オフを切り替える。ここで、操作釦１１１が操作される前の時点で照明器具６１が点灯していれば、制御用端末器２は、リモコンリレー７１をオンからオフに切り替えて、照明器具６１を消灯させる。
【００４２】
制御用端末器２は、リモコンリレー７１のオン／オフを切り替えると、リモコンリレー７１のオン／オフの状態、つまり照明器具６１の動作状態（点灯又は消灯）を示す監視データを、信号線５を介して伝送ユニット４に返送する。
【００４３】
伝送ユニット４は、制御用端末器２から監視データを受信すると、この監視データを対応する操作用端末器１に返送する。
【００４４】
操作用端末器１が、例えばリモコンリレー７１のオフ状態を示す監視データを受信すると、この監視データに基づいて、照明器具６１が消灯していると判断し、照明器具６１の動作状態（消灯状態）を記憶部１４に記憶させる。また、操作用端末器１は、照明器具６１の動作状態が点灯状態から消灯状態に変化すると、操作釦１１１に付設された緑色発光の発光ダイオード１２１を点灯させ、赤色発光の発光ダイオード１２２を消灯させる（図３（ｃ）参照）。なお、操作用端末器１が、例えばリモコンリレー７１のオン状態を示す監視データを受信すると、この監視データに基づいて操作釦１１１に付設された赤色発光の発光ダイオード１２２を点灯させ、緑色発光の発光ダイオード１２１を消灯させる。これにより、使用者は、発光ダイオード１２１，１２２の状態（発光状態又は消灯状態）から、対応する照明器具６１の動作状態を読み取ることができる。
【００４５】
このように、操作用端末器１の操作釦１１１〜１１３が操作されると、制御用端末器２は、操作された操作釦１１１〜１１３に対応するリモコンリレー７１〜７３のオン／オフを切り替え、対応する照明器具６１〜６３の動作状態を切り替える。そして、照明器具６１〜６３の動作状態が切り替えられると、操作用端末器１は、動作状態が変化した照明器具に対応する発光ダイオードの状態を変化させ、発光ダイオード１２１〜１２６により照明器具６１〜６３の動作状態を表示させる。
【００４６】
その後、操作釦１１１〜１１３が操作されない状態が所定時間以上継続すると、操作用端末器１の演算処理部１０は待機状態に切り替わる。
【００４７】
待機状態において発光ダイオード１２１〜１２６の表示を無効にするように記憶部１４に記憶されている場合、演算処理部１０の第１制御部１０１は、待機状態において、発光ダイオード１２１〜１２６による動作状態の表示を停止させる。すなわち、演算処理部１０の第１制御部１０１は全ての発光ダイオード１２１〜１２６を消灯させ、発光ダイオード１２１〜１２６による消費電力が低減される。ここで、第１制御部１０１が、例えば１個の発光ダイオード１２１を点滅させてもよく、発光ダイオード１２１の点滅によって、操作用端末器１の位置表示のみを行う。
【００４８】
一方、待機状態において発光ダイオード１２１〜１２６の表示を有効にするように記憶部１４に記憶されている場合、第１制御部１０１は、待機状態でも、照明器具６１〜６３の動作状態に応じて、対応する発光ダイオード１２１〜１２６を点灯又は消灯させる。例えば照明器具６１が点灯していれば、第１制御部１０１は対応する発光ダイオード１２２を点灯させ、発光ダイオード１２１を消灯させる。また、照明器具６１が消灯していれば、第１制御部１０１は対応する発光ダイオード１２１を点灯させ、発光ダイオード１２２を消灯させる。
【００４９】
なお、待機状態において操作釦１１１〜１１４が被制御機器を操作する場合の通常の方法で操作された場合、第２制御部１０２は、操作釦１１１〜１１４のうち操作された操作釦に対応する照明器具を点灯又は消灯させるように動作する。したがって、発光ダイオード１２１〜１２８の表示を見ることなく、照明器具６１〜６４の動作状態を見て操作釦１１１〜１１４を操作する場合は、待機状態において、操作対象の照明器具６１〜６４に対応した操作釦１１１〜１１４を操作して、照明器具の動作状態を変化させればよい。
【００５０】
また、伝送ユニット４と各端末器の間の通信手順は、例えば特開２０００−１４０４９号公報に開示された遠隔監視制御システムにおいて、伝送ユニットと操作用端末器又は制御用端末器の間で伝送信号を授受する通信手順と同様であるので、その説明は省略する。
【００５１】
以上説明したように、本実施形態のスイッチ装置（操作用端末器１）は、操作釦１１１〜１１４（操作部）と、発光ダイオード１２１〜１２８（発光表示部）と、第１制御部１０１と、第２制御部１０２と、設定部（演算処理部１０）とを備える。操作釦１１１〜１１４は所定の操作を行うために設けられる。発光ダイオード１２１〜１２８は照明器具６１〜６４（被制御機器）の動作状態を表示する。第１制御部１０１は、操作釦１１１〜１１４が所定時間以上操作されない待機状態では発光ダイオード１２１〜１２８の表示を停止させる。また第１制御部１０１は、待機状態において操作釦１１１〜１１４が操作されると操作時点での照明器具６１〜６４の動作状態に応じて、発光ダイオード１２１〜１２８の表示を制御する。第２制御部１０２は、操作釦１１１〜１１４による照明器具６１〜６４の操作に応じて照明器具６１〜６４の動作状態を変化させる制御を行う。設定部たる演算処理部１０は、操作釦１１１〜１１４による設定操作に応じて、待機状態における発光ダイオード１２１〜１２８の表示を有効にするか無効にするかを設定する。第１制御部１０１は、待機状態における発光ダイオード１２１〜１２８の表示を有効にすると設定されると、待機状態においても照明器具６１〜６４の動作状態に応じた表示を発光ダイオード１２１〜１２８に行わせるように構成される。
【００５２】
このように、操作部を操作することによって、待機状態において被制御機器の動作状態を表示するか否かが設定できるので、待機状態において被制御機器の動作状態を表示するか否かを選択できるから、使い勝手が向上する。なお、本実施形態では待機状態において一番上にある操作釦１１１が長押し操作されると、第１制御部１０１が発光表示部に被制御機器の動作状態を表示させているが、他の操作釦の長押し操作によって発光表示部に被制御機器の動作状態を表示させてもよい。また、待機状態において、操作釦１１１〜１１４の何れかが連続して複数回（例えば３回）操作されると、第１制御部１０１が、発光表示部に被制御機器の動作状態を表示させてもよい。また、待機状態において、操作釦１１１〜１１４のうちの複数個が同時に操作されると、第１制御部１０１が、発光表示部に被制御機器の動作状態を表示させてもよい。つまり、待機状態において、操作釦１１１〜１１４が、被制御機器を操作する場合とは異なる所定の方法で操作されると、第１制御部１０１が発光表示部に被制御機器の動作状態を表示させればよい。
【００５３】
本実施形態のスイッチ装置において、第１制御部１０１が、待機状態において発光表示部（発光ダイオード１２１〜１２８）を点滅させるように構成されることも好ましい。これにより、周囲が暗い場合でもスイッチ装置の位置が判りやすくなる。なお、第１制御部１０１は、発光ダイオード１２１〜１２８のうち少なくとも１個を点滅させればよい。
【００５４】
また、本実施形態のスイッチ装置において、操作部として、被制御機器の動作状態を変化させるために操作される第１操作部（上述の操作釦１１１〜１１４）と、発光表示部に被制御機器の動作状態を表示させるために操作される第２操作部とを備えていてもよい。
【００５５】
図４（ａ）（ｂ）は第１操作部とは別に第２操作部を備えた操作用端末器１の一例を示す。この操作用端末器１は、第１操作部として、照明器具６１の動作状態を変化させるための操作釦１１１と、照明器具６２の動作状態を変化させるための操作釦１１２を備え、さらに第２操作部として操作釦１１５を備える。図４（ａ）は待機状態を示し、第１制御部１０１は全ての発光ダイオード１２１〜１２４を消灯させている。なお、第１制御部１０１が発光ダイオード１２１〜１２４のうち少なくとも１つ（例えば発光ダイオード１２１）を点滅させてもよく、発光ダイオードを点滅させることで操作用端末器１の位置表示を行うことができる。この待機状態において、第２操作部である操作釦１１５が操作されると、第１制御部１０１は、操作釦１１５の操作時点での照明器具６１，６２の動作状態を記憶部１４から読み込む。そして、第１制御部１０１は、照明器具６１，６２の動作状態に応じて、発光ダイオード１２１〜１２４を点灯又は消灯させており、発光ダイオード１２１〜１２４により照明器具６１，６２の動作状態を表示することができる。このように、操作用端末器１は第１操作部とは別に第２操作部を備えているので、待機状態から動作状態を表示する状態に切り替えるために、どこを操作すればよいかが判りやすくなり、操作性が向上する。また、照明器具６１，６２の動作状態を見て操作する場合は、発光ダイオード１２１〜１２４の表示を確認する必要がない。この場合は待機状態において操作釦１１５を操作することなく、操作釦１１１又は操作釦１１２を操作して、照明器具６１，６２の点灯／消灯を切り替えればよいから、１回の操作だけで済むという利点がある。なお、第２操作部である操作釦１１５は、第１操作部である操作釦１１１，１１２と区別できるように、用途を表示するラベルを付してもよいし、色や形状などの外観を異ならせてもよい。
【００５６】
また、本実施形態のスイッチ装置（操作用端末器１）において、操作用端末器１は、外部からの制御信号を受信する信号受信部１５１（受信部）を備えてもよい。そして、設定部たる演算処理部１０は、待機状態における発光ダイオード１２１〜１２８（発光表示部）の表示を有効にする制御信号を信号受信部１５１が受信すると、待機状態における発光ダイオード１２１〜１２８の表示を有効と設定すればよい。
【００５７】
例えば、操作用端末器１に、操作釦１１１〜１１４に割り当てたアドレス以外のアドレスを設定し、このアドレスとセンサ端末器３のアドレスとを対応付けて伝送ユニット４の記憶部に記憶させる。
【００５８】
センサ端末器３は、操作用端末器１の周辺に設定された検知エリアにおいて人の存否を検知する熱線式の人感センサを備える。
【００５９】
センサ端末器３は、人感センサが操作用端末器１の周辺に設定した検知エリアにおいて人の存在を検知すると、自機のアドレスと人の検知情報とを含む伝送信号を伝送ユニット４に送信する。伝送ユニット４は、センサ端末器３からの伝送信号を受信すると、伝送信号に含まれるアドレスをもとに記憶部を参照し、センサ端末器３のアドレスと対応付けて設定された操作用端末器１のアドレスを取得する。そして、伝送ユニット４は、操作用端末器１のアドレスと人の検知情報とを含む伝送信号を信号線５に送信する。操作用端末器１では、信号受信部１５１が、人の検知情報を含む伝送信号（待機状態において発光表示部の表示を有効にする制御信号）を受信すると、第１制御部１０１が、発光ダイオード１２１〜１２８による動作状態の表示を有効にする。
【００６０】
センサ端末器３は、検知エリアにおいて人の存在を検知しない非検知状態が所定時間ｄＴ１以上継続すると、自機のアドレスと非検知情報とを含む伝送信号を伝送ユニット４に送信する。伝送ユニット４は、センサ端末器３からの伝送信号を受信すると、伝送信号に含まれるアドレスをもとに記憶部を参照し、センサ端末器３のアドレスと対応付けて設定された操作用端末器１のアドレスを取得する。そして、伝送ユニット４は、操作用端末器１のアドレスと非検知情報とを含む伝送信号を信号線５に送信する。操作用端末器１では、信号受信部１５１が、非検知情報を含む伝送信号を受信すると、第１制御部１０１が、待機状態に切り替わり、発光ダイオード１２１〜１２８による動作状態の表示を停止させる。
【００６１】
ここで、図５を参照して操作用端末器１の動作を説明する。図５の時刻ｔ１以前では、操作用端末器１の信号受信部１５１が、動作状態の表示を有効にする制御信号を受信していない状態が所定時間ｄＴ１以上継続しており、第１制御部１０１は待機状態に切り替わり、動作状態の表示を停止している。
【００６２】
その後、時刻ｔ１においてセンサ端末器３が人の存在を検知すると、センサ端末器３は自機のアドレスと人の検知情報を含む伝送信号を伝送ユニット４に送信し、伝送ユニット４から操作用端末器１へ人の検知情報を含む伝送信号が送信される。そして、操作用端末器１の信号受信部１５１が人の検知情報を含む伝送信号を受信すると、演算処理部１０は、待機状態から被制御機器の動作状態を表示する状態に切り替わり、第１制御部１０１に発光ダイオード１２１〜１２８による動作状態の表示を行わせる。
【００６３】
その後、センサ端末器３は、人を検知しない非検知状態が所定時間ｄＴ１以上継続すると、時刻ｔ２において自機のアドレスと非検知情報とを含む伝送信号を伝送ユニット４に送信し、伝送ユニット４から操作用端末器１へ非検知情報を含む伝送信号が送信される。操作用端末器１の信号受信部１５１が非検知情報を含む伝送信号を受信すると、演算処理部１０は、非制御機器の動作状態を表示する状態から待機状態に切り替わり、第１制御部１０１に発光ダイオード１２１〜１２８による動作状態の表示を停止させる。
【００６４】
このように、本実施形態のスイッチ装置は、外部より制御信号を受信する信号受信部１５１（受信部）を備えてもよい。そして、設定部たる演算処理部１０は、待機状態における発光ダイオード１２１〜１２８の表示を有効にする制御信号を信号受信部１５１が受信すると、待機状態における発光ダイオード１２１〜１２８の表示を有効に設定してもよい。
【００６５】
これにより、外部からの制御信号によって、待機状態から発光ダイオード１２１〜１２８によって被制御機器の動作状態を表示する状態に切り替えることができる。
【符号の説明】
【００６６】
１  操作用端末器（スイッチ装置）
２  制御用端末器
３  センサ端末器
４  伝送ユニット
５  信号線
１０  演算処理部（設定部）
１３  アドレス設定部
１４  記憶部
６１〜６４  照明器具（被制御機器）
７１〜７４  リモコンリレー
１０１  第１制御部
１０２  第２制御部
１１１〜１１４  操作釦（操作部、第１操作部）
１１５  操作釦（操作部、第２操作部）
１２１〜１２８  発光ダイオード（発光表示部）
１５１  信号受信部（受信部）
１５２  信号送信部
【図１】
2015162736.tif 000003
【図２】
2015162736.tif 000004
【図３】
2015162736.tif 000005
【図４】
2015162736.tif 000006
【図５】
2015162736.tif 000007